(57)【要約】  送信機から受信機又は加入者のステーションに通知を伝送するための、デジタル・ブロードキャスト伝送システムにおける装置及び方法が提供される。通知は、情報のユーザ又は加入者に、来たるイベント、プログラム又はサービス、既存のイベント、プログラム又はサービスの変更、宣伝、緊急発表、及び同様のものに関する情報を与える。１つの例では、ＥＳＧフラグメントと関連するサービスは通知であると示すパラメータが、受信機に伝送されるＥＳＧフラグメントに含まれる。別の例では、ＥＳＧフラグメントは、アクセス・フラグメントと関連する通知は、対応するサービスのコンポーネントであると示すためのタイプ・パラメータを含むアクセス・フラグメントである。【特許請求の範囲】
【請求項１】
伝送のためにＥＳＧフラグメントに含まれるべきデータを受信するよう構成された入力部と、
前記ＥＳＧフラグメントと関連する通知を判断するよう構成された識別子モジュールと、
通知がサービスである場合には、前記ＥＳＧフラグメントと、通知サービスに対応するように前記ＥＳＧフラグメントをインスタンス化するサービス・フラグメント・タイプ・パラメータを含むサービス・フラグメントとをアセンブルするように構成され、通知がサービスのコンポーネントである場合には、該ＥＳＧフラグメントと、通知サービスのアクセスに対応するように前記ＥＳＧフラグメントを宣言するアクセス・フラグメント・タイプ・パラメータを含むアクセス・フラグメントとをアセンブルするように構成されたＥＳＧフラグメント・アセンブラと、
前記ＥＳＧフラグメントを宛先に伝送するための出力部と、
を含み、
前記ＥＳＧフラグメントは前記通知の受け取り情報を判断するパラメータを含んでいる、
ことを特徴とする装置。
【請求項２】
前記通知の受け取り情報を判断する前記パラメータは、前記通知情報の前記宛先に対応するポートを判断する通知ポート・パラメータを含むことを特徴とする、請求項１に記載の装置。
【請求項３】
前記通知の受け取り情報を判断する前記パラメータは、通知送給のためにＩＰマルチキャスト・アドレスを識別する通知アドレス・パラメータを含むことを特徴とする、請求項１に記載の装置。
【請求項４】
前記サービス・フラグメント・タイプ・パラメータは、前記サービスを通知として識別することを特徴とする、請求項１に記載の装置。
【請求項５】
前記サービス・フラグメントは、アクセス・フラグメントとリンクして、前記通知の前記伝送の記述を与えるようにすることを特徴とする、請求項４に記載の装置。
【請求項６】
前記アクセス・フラグメント・タイプ・パラメータは、前記通知を前記サービスのコンポーネントとして識別することを特徴とする、請求項１に記載の装置。
【請求項７】
ＥＳＧフラグメントに関連する通知を判断し、
サービス・フラグメントを提供し、
アクセス・フラグメントを提供する、
ステップを含む、サービスに対応するＥＳＧフラグメントをアセンブルする、
ステップを含み、前記サービス・フラグメントは、通知がサービスである場合には通知サービスに対応するように前記ＥＳＧフラグメントをインスタンス化するサービス・フラグメント・タイプ・パラメータを含み、通知がサービスのコンポーネントである場合には通知サービスのアクセスに対応するように前記ＥＳＧフラグメントを宣言するアクセス・フラグメント・タイプ・パラメータを含んでおり、
前記ＥＳＧフラグメントを出力するステップ
を含むことを特徴とする方法。
【請求項８】
前記ＥＳＧフラグメントは、前記通知の宛先を判断するためのＳｅｒｖｉｃｅ  ＧｕｉｄｅＤｅｌｉｖｅｒｙ  Ｄｅｓｃｒｉｐｔｏｒ（ＳＧＤＤ）パラメータを含むことを特徴とする、請求項７に記載の方法。
【請求項９】
前記ＳＧＤＤパラメータは、前記宛先への前記通知についての情報を与えるための通知受け取りパラメータを含むことを特徴とする、請求項８に記載の方法。
【請求項１０】
前記通知受け取りパラメータは、前記通知情報の前記宛先に対応するポートを判断するための通知ポート・パラメータを含むことを特徴とする、請求項９に記載の方法。
【請求項１１】
前記通知受け取りパラメータは、通知送給のためにＩＰマルチキャスト・アドレスを識別する通知アドレス・パラメータを含むことを特徴とする、請求項９に記載の方法。
【請求項１２】
前記サービス・フラグメント・タイプ・パラメータは、前記サービスを前記通知として識別することを特徴とする、請求項７に記載の方法。
【請求項１３】
前記サービス・フラグメントはアクセス・フラグメントにリンクすることを特徴とする、請求項１２に記載の方法。
【請求項１４】
前記アクセス・フラグメントは、前記通知の前記伝送の記述を与えることを特徴とする、請求項１３に記載の方法。
【請求項１５】
前記アクセス・タイプ・パラメータは、前記通知を前記サービスのコンポーネントとして識別することを特徴とする、請求項７に記載の方法。
【請求項１６】
サービスに対応するＥＳＧフラグメントをアセンブルする
ステップを含み、前記ＥＳＧフラグメントは、
通知チャネルにおいて通知を宣言し、サービスに関連するポートを宣言する第１のパラメータと、
通知サービスに対応するように前記ＥＳＧフラグメントをインスタンス化する第２のパラメータを含むサービス・フラグメントと、
通知サービスのアクセスに対応するように前記ＥＳＧフラグメントを宣言する第３のパラメータを含むアクセス・フラグメントと
を含んでおり、
前記ＥＳＧフラグメントを出力する、
ステップを含むことを特徴とする方法。
【請求項１７】
前記第１のパラメータは、Ｓｅｒｖｉｃｅ  Ｇｕｉｄｅ  Ｄｅｌｉｖｅｒｙ  Ｄｅｓｃｒｉｐｔｏｒ（ＳＧＤＤ）において宣言されることを特徴とする、請求項１６に記載の方法。
【請求項１８】
前記第２のパラメータは、サービス・タイプを通知サービスとして宣言することを特徴とする、請求項１６に記載の方法。
【請求項１９】
前記第３のパラメータは、前記サービスのアクセスを該サービスのコンポーネントとして宣言することを特徴とする、請求項１６に記載の方法。
【請求項２０】
サービスに関連し、通知チャネルにおいて通知を宣言する第１のパラメータと、電子サービス・ガイド（ＥＳＧ）フラグメントが通知サービスに対応するようにインスタンス化するための第２のパラメータと、前記ＥＳＧフラグメントが通知サービスに対応するように宣言するための第３のパラメータとを有するＥＳＧフラグメントを受信し、
前記ＥＳＧフラグメントに対応する通知サービスを受信する、
ステップを装置に実行するようにさせるためのコンピュータ実行可能命令を含むことを特徴とするコンピュータ可読媒体。
【請求項２１】
ＥＳＧフラグメントを受信するよう構成された入力部と、
前記ＥＳＧフラグメントにおける第１のパラメータ、第２のパラメータ、及び第３のパラメータを識別するよう構成された解析機と、
を含み、前記第１のパラメータは通知チャネルにおいて通知を宣言し、前記第２のパラメータは通知サービスに対応するように前記ＥＳＧフラグメントをインスタンス化し、前記第３のパラメータは通知サービスのアクセスに対応するものとし、
前記ＥＳＧフラグメントに対応するサービスを通知として処理するように構成されたプロセッサと、
を含むことを特徴とする装置。
【請求項２２】
伝送のためにＥＳＧフラグメントに含まれるべきデータを受信するよう構成された入力部と、
前記ＥＳＧフラグメントと関連する通知を判断するよう構成された識別子モジュールと、
通知がサービスである場合には、前記ＥＳＧフラグメントと、通知サービスに対応するように前記ＥＳＧフラグメントをインスタンス化するサービス・フラグメント・タイプ・パラメータを含むサービス・フラグメントとをアセンブルするように構成され、通知がサービスのコンポーネントである場合には、該ＥＳＧフラグメントと、通知サービスのアクセスに対応するように前記ＥＳＧフラグメントを宣言するアクセス・フラグメント・タイプ・パラメータを含むアクセス・フラグメントとをアセンブルするように構成されたＥＳＧフラグメント・アセンブラと、
前記ＥＳＧフラグメントを宛先に伝送するための出力部と、
を含み、
前記ＥＳＧフラグメントは前記通知の受け取り情報を判断するパラメータを含んでいる、
サービスに対応するＥＳＧフラグメントにおける通知を伝送するように構成された送信機と、
前記ＥＳＧフラグメントを受信するよう構成された受信機入力部と、
前記サービス・フラグメント・タイプ・パラメータ及び前記アクセス・フラグメント・タイプ・パラメータを識別するように構成された解析機と、
前記ＥＳＧフラグメントに対応するサービスを通知として処理するように構成されたプロセッサと、
を含む、
前記ＥＳＧフラグメントを受信するように構成された受信機と、
を含むことを特徴とするシステム。
【請求項２３】
前記通知の受け取り情報を判断する前記パラメータは、前記通知情報の前記宛先に対応するポートを判断する通知ポート・パラメータを含むことを特徴とする、請求項２２に記載のシステム。
【請求項２４】
前記通知の受け取り情報を判断する前記パラメータは、通知送給のためにＩＰマルチキャスト・アドレスを識別する通知アドレス・パラメータを含むことを特徴とする、請求項２２に記載のシステム。
【請求項２５】
前記サービス・フラグメント・タイプ・パラメータは、前記サービスを通知として識別することを特徴とする、請求項２２に記載のシステム。
【請求項２６】
前記サービス・フラグメントはアクセス・フラグメントとリンクして、前記通知の前記伝送の記述を提供することを特徴とする、請求項２５に記載のシステム。
【請求項２７】
前記アクセス・フラグメント・タイプ・パラメータは、前記通知を前記サービスのコンポーネントとして識別することを特徴とする、請求項２２に記載のシステム。
【請求項２８】
ＥＳＧフラグメントと関連する通知を判断するための手段と、
サービス・フラグメントを提供するための手段と、
アクセス・フラグメントを提供するための手段と、
を含む、
サービスに対応するＥＳＧフラグメントをアセンブルするための手段と、
を含み、前記サービス・フラグメントは、通知がサービスである場合には通知サービスに対応するように前記ＥＳＧフラグメントをインスタンス化するサービス・フラグメント・タイプ・パラメータを含み、通知がサービスのコンポーネントである場合には通知サービスのアクセスに対応するように該ＥＳＧフラグメントを宣言するアクセス・フラグメント・タイプ・パラメータを含んでおり、
前記ＥＳＧフラグメントを出力するための手段
を含むことを特徴とする装置。
【請求項２９】
サービスに対応するＥＳＧフラグメントをアセンブルするための手段
を含み、前記ＥＳＧフラグメントは、
通知チャネルにおいて通知を宣言し、サービスに関連するポートを宣言する第１のパラメータと、
通知サービスに対応するように前記ＥＳＧフラグメントをインスタンス化する第２のパラメータを含むサービス・フラグメントと、
通知サービスのアクセスに対応するように前記ＥＳＧフラグメントを宣言する第３のパラメータを含むアクセス・フラグメントと
を含んでおり、
前記ＥＳＧフラグメントを出力するための手段、
を含むことを特徴とする装置。
【発明の詳細な説明】
【技術分野】
【０００１】
本発明の実施形態は一般に、通信ネットワークに関する。よりに具体的には、本発明の実施形態は、イベントのサービス・ガイド、又はイベントにおける変更について通知を提供することに関する。
【０００２】
（関連出願の相互参照）
本出願は、２００５年１０月７日に出願された米国特許仮出願第６０／７２４，２７５号に基づく優先権を主張するものであり、その内容は引用により本明細書に組み入れられる。
【背景技術】
【０００３】
一般に、Ｅｌｅｃｔｒｏｎｉｃ  Ｓｅｒｖｉｃｅ  Ｇｕｉｄｅ（ＥＳＧ）は、エンド・ユーザがどのサービスを使用可能か、及びサービスにどのようにアクセスできるかを、端末が通信できるようにする。ＥＳＧフラグメントは、独立して存在するＥＳＧの部分である。従来、ＥＳＧフラグメントはＸＭＬドキュメントを含むが、最近では、例えば、ＳＤＰ（Ｓｅｓｓｉｏｎ  Ｄｅｓｃｒｉｐｔｉｏｎ  Ｐｒｏｔｏｃｏｌ）記述、テキスト・ファイル、又は画像といった膨大な項目を含んでいる。ＥＳＧフラグメントは、現在（又は将来）使用できるサービス又はブロードキャスト・プログラムの１つ又は幾つかの側面を記述する。このような側面は、例えば、自由なテキスト記述、スケジュール、地理的利用可能性、価格、購入方法、ジャンル、及びプレビュー画像又はクリップといった補足情報を含むことができる。オーディオ、ビデオ、及びＥＳＧフラグメントを含む他のタイプのデータは、多くの異なるプロトコルによる多様なタイプのネットワークを通して伝送されることができる。例えば、データは、インターネット・プロトコル（ＩＰ）及びユーザ・データグラム・プロトコル（ＵＤＰ）といった、インターネット・プロトコル・スートのプロトコルを用いた「インターネット」として通常称される、ネットワークの集合体を通して伝送することができる。データはしばしば、単一のユーザにアドレス指定されたインターネットを通して伝送される。しかしながら、一般的にマルチキャスティングとして知られる、ユーザのグループにアドレス指定することもできる。データが全ユーザにアドレス指定される場合には、ブロードキャストと呼ばれる。ＥＳＧデータは、デジタル・ブロードバンド・ブロードキャスト及び／又はマルチキャスト・ネットワークを含む、異なるタイプの無線デジタル・ネットワークを用いて伝送することができる。
【０００４】
サービス・プロバイダは、ＥＳＧフラグメントの伝送によって、加入者端末へのデータ・ストリームに、イベントに対応する現在又は将来のサービス又はコンテンツについての情報を提供する。しかしながら、時間と共に、サービス・プロバイダによって、イベントに変更がなされることがある。例えば、サービス・プロバイダは、対応するサービス・ガイド又はその一部を改変する、サービス・スケジュールを変更する、又は特定のブロードキャスト・サービス促進することができる。加えて、サービス・プロバイダは、更新されたデータの特定の通知をブロードキャストしようとすることができる。ユーザ又はユーザのグループは、しばしば、そのような情報又は現在供給される情報の変更を通知される必要がある。
【０００５】
従って、来たるイベント、現在提供されているイベント、又は進行中或いは更新された情報を、ユーザ又はユーザのグループに通知するための方法及びシステムに対する必要性が存在する。
【発明の開示】
【０００６】
以下は、本発明の一部の態様の基本的な理解を提供するために、簡略化された要約を提示するものである。この要約は、本発明の広範な概要ではない。この要約は、本発明の手掛かり又は重要な要素を識別することも、本発明の範囲を詳細に描写することも意図するものではない。次の要約は、以下のより詳細な説明への前置きとして簡略化された方法で本発明の実施形態による幾つかの概念を提示するものにすぎない。
【０００７】
本発明の１つの実施形態では、通知に関する情報を含むＥＳＧフラグメントを伝送する送信機が提供される。例えば、送信機は、通知を記述するパラメータを含むＥＳＧフラグメントを伝送することができる。１つの例では、送信機によって伝送されたＥＳＧフラグメントは、通知情報又はメッセージの受け取り情報を記述するための通知受け取りパラメータを含む。このパラメータは、受信機におけるＥＳＧフラグメントの受け取りのためのポート番号の識別をさらに含むことができる。
【０００８】
別の例では、送信機によって伝送されたＥＳＧフラグメントは、通知を対応するサービスとして示すための通知サービス・パラメータを含む。例えば、サービス・フラグメントのタイプ・パラメータ（例えばサービス・フラグメント・タイプ・パラメータ）は、ＥＳＧフラグメントに含まれることができる。サービス・フラグメント・タイプ・パラメータの値に応じて、サービス・フラグメントは、通知サービスとしてインスタンス化されることができる。
【０００９】
別の例では、送信機によって伝送されたＥＳＧフラグメントは、通知コンポーネント・パラメータを含む。例えば、アクセス・フラグメントのタイプ・パラメータ（例えばアクセス・フラグメント・タイプ・パラメータ）は、ＥＳＧフラグメントに含まれることができる。アクセス・フラグメント・タイプ・パラメータの値に応じて、サービスのコンポーネントは、通知として宣言されることができる。
【００１０】
別の例では、ＥＳＧフラグメントを受信する受信機が提供される。ＥＳＧフラグメントは、対応する通知サービス、通知コンポーネント、又は通知受け取り情報を判断するように解析されることができる。
【００１１】
別の例では、ユーザに対する通知に関連するＥＳＧフラグメントを生成するための方法が提供される。ＥＳＧフラグメントは、例えば通知サービス、サービスの通知コンポーネント、及び／又は通知受け取り情報を含む通知を記述するパラメータを含むことができる。
【００１２】
さらに、通知サービス、又はサービスの通知コンポーネントに関連するＥＳＧフラグメントを生成する、伝送する、及び受信するためのコンピュータ可読媒体が提供される。
【発明を実施するための最良の形態】
【００１３】
本発明の種々の実施形態及びその利点のより完全な理解は、同様の参照番号が同様の特徴を示す添付の図面を考慮して次の説明を参照することによって得ることができる。
【００１４】
種々の実施形態の次の説明において、その一部を形成し、本発明を実施することができる種々の実施形態を例証として示す添付図面を参照する。他の実施形態を用いることも可能であり、本発明の範囲及び精神から逸脱することなく、構造上かつ機能上の変更をなすこともできることを理解すべきである。
【００１５】
本発明の態様は、広範囲なネットワーク及び通信プロトコルにわたって用いることができる。図１は、本発明のシステム及び方法を用いることができる無線通信システム１１０の例を示す。携帯情報端末（ＰＤＡ）、携帯電話、移動体端末、パーソナル・ビデオ・レコーダ、携帯用テレビ、パーソナル・コンピュータ、デジタルカメラ、デジタルカムコーダ、携帯用オーディオ装置、携帯用ラジオ、又はこれらの組み合わせといった１つ又はそれ以上のネットワーク対応の移動体装置１１２が、ブロードキャスト・ネットワーク１１４及び／又はセルラー・ネットワーク１１６を通して、サービス・ソース１２２と通信状態にある。移動体端末／装置１１２は、デジタル・ブロードバンド・ブロードキャスト受信機装置を含むことができる。サービス・ソース１２２は、実際のプログラム・コンテンツ又は情報、或いはそれらのサービス及びプログラムの記述を、サービス・ソースに提供することができる幾つかのサービス提供者に接続することができ、それぞれのサービス提供者は、さらに、コンテンツ又は情報を移動体装置１１２に提供する。幾つかのサービス・プロバイダは、これらに限られるものではないが、１つ又はそれ以上のテレビ及び／又はデジタルテレビ・サービス提供者、ＡＭ／ＦＭラジオ・サービス提供者、ＳＭＳ／ＭＭＳプッシュサービス提供者、インターネット・コンテンツ又はアクセス提供者を含むことができる。
【００１６】
データをブロードキャストする１つの方法は、ＩＰデータ・キャスティング（ＩＰＤＣ）ネットワークを用いることである。ＩＰＤＣは、デジタル・ブロードキャストとインターネット・プロトコルの組み合わせである。そのようなＩＰベースのブロードキャスト・ネットワークを通じて、１つ又はそれ以上のサービス・プロバイダは、オンライン新聞、ラジオ、及びテレビを含む、異なるタイプのＩＰサービスを供給することができる。これらのＩＰサービスは、オーディオ、ビデオ、及び／又は他のタイプデータの形態で、１つ又はそれ以上のメディア・ストリームに系統化される。これらストリームがいつどこで発生するかを判断するために、ユーザは、電子サービス・ガイド（ＥＳＧ）を参照する。デジタル・ビデオ・ブロードキャスト（ＤＶＢ）ストリームに用いられる１つの例は、電子プログラム・ガイド（ＥＰＧ）である。ＤＶＢの１つのタイプは、携帯電話のような小型携帯機器で使用可能な能力及びサービスを増加させる、近年開発された技術であるＤｉｇｉｔａｌ  Ｖｉｄｅｏ  Ｂｒｏａｄｃａｓｔ−Ｈａｎｄｈｅｌｄ（ＤＶＢ−Ｈ）である。ＤＶＢ−Ｈは、１０Ｍｂｐｓのデータをバッテリ電源式端末装置へ送給するように指定される。
【００１７】
ＤＶＢトランスポート・ストリームは、第３者の送給ネットワークを経由して、圧縮されたオーディオ及びビデオ及びデータをユーザに送給する。Ｍｏｖｉｎｇ  Ｐｉｃｔｕｒｅ  Ｅｘｐｅｒｔ  Ｇｒｏｕｐ（ＭＰＥＧ）は、単一プログラム内のエンコードされたビデオ、オーディオ、及びデータが、他のプログラムと多重化されてトランスポート・ストリーム（ＴＳ）になる技術である。ＴＳは、ヘッダを含む、固定された長さのパケットをもつ、パケット化されたデータ・ストリームである。プログラム、オーディオ、及びビデオの個別要素はそれぞれ、固有のパケット識別（ＰＩＤ）を有するパケット内で運ばれる。受信機装置が、特定のプログラムの異なる要素をＴＳ内に配置できるようにするために、ＴＳに組み込まれるＰｒｏｇｒａｍ  Ｓｐｅｃｉｆｉｃ  Ｉｎｆｏｒｍａｔｉｏｎ（ＰＳＩ）が供給される。加えて、ＭＰＥＧのプライベート区分のシンタックスに準拠する一組の表をＴＳに組み込むことができる。このことは、受信機装置が、ＴＳ内に含まれるデータを正確に処理できるようにする。
【００１８】
しかしながら、本発明の態様はまた、例えばＴ−ＤＡＢ、Ｔ／Ｓ−ＤＭＢ、ＩＳＤＢ−Ｔ、ＡＴＳＣ、ＭｅｄｉａＦＬＯといった他の従来型デジタル・モバイルブロードキャストシステム、及び３ＧＰＰ  ＭＢＭＳと３ＧＰＰ２ＢＣＭＣＳといった非従来型システムにも、適用可能である。
【００１９】
ブロードキャスト・ネットワーク１１４は、ＤＶＢ−ＨによるＩＰデータ放送の無線伝送を含むことができる。ブロードキャスト・ネットワーク１１４は、送信機１１８を介して、デジタル又はアナログ・テレビ信号のようなサービス、及びサービスに関連した補足的コンテンツをブロードキャストすることができる。ブロードキャスト・ネットワークはまた、ラジオ、テレビ、又はＩＰデータ放送ブロードキャスト・ネットワークを含むこともできる。ブロードキャスト・ネットワーク１１４はまた、テレビ信号、音声及び／又はビデオ・ストリーム、データ・ストリーム、ビデオ・ファイル、音声ファイル、ソフトウェア・ファイル、及び／又はビデオゲームを含むことができる補足的コンテンツを伝送することもできる。ＩＰデータ放送サービスを伝送する場合、サービス・ソース１２２は、ブロードキャスト・ネットワーク１１４を通して実際のプログラム・コンテンツをユーザ装置１１２に伝えることができ、セルラー・ネットワーク１１６を通して実際のプログラム・コンテンツについての、ユーザの権利及びアクセス情報などの付加的な情報を伝えることができる。
【００２０】
移動体装置１１２はまた、セルラー・ネットワーク１１６を通してサービス・ソース１２２と連絡を取ることができる。セルラー・ネットワーク１１６は、無線ネットワークと、基地局送信機１２０とを含むことができる。セルラー・ネットワークは、第２／第３世代（２Ｇ／３Ｇ）のセルラー方式データ通信ネットワーク、Ｇｌｏｂａｌ  Ｓｙｓｔｅｍ  ｆｏｒ  Ｍｏｂｉｌｅ  ｃｏｍｍｕｎｉｃａｔｉｏｎｓ  ｎｅｔｗｏｒｋ（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、又はＷＬＡＮネットワークのような他の無線通信ネットワークを含むことができる。
【００２１】
本発明の１つの態様において、移動体装置１１２は、セルラー・ネットワーク１１６内でデジタル無線通信を送信及び／又は受信するように構成された無線インタフェースを含むことができる。セルラー・ネットワーク１１６又はブロードキャスト・ネットワーク１１４を通して移動体装置１１２が受信した情報は、ユーザ選択、アプリケーション、サービス、電子画像、音声クリップ、ビデオクリップ、及び／又はＷＴＡＩ（Ｗｉｒｅｌｅｓｓ  Ｔｅｌｅｐｈｏｎｙ  Ａｐｐｌｉｃａｔｉｏｎ  Ｉｎｔｅｒｆａｃｅ）メッセージを含むことができる。セルラー・ネットワーク１１６の一部として、受信機装置がセルラー・ネットワーク１１６の管理ドメイン内に位置する間、１つ又はそれ以上の基地局（図示せず）が受信機装置１１２とのデジタル通信をサポートすることができる。
【００２２】
図２に示されるように、移動体装置１１２は、ユーザ・インタフェース１３０、メモリ１３４及び／又は他の記憶装置に接続されたプロセッサ１２８、及びディスプレイ１３６を含むことができる。移動体装置１１２はまた、バッテリ１５０、スピーカ１５２、及びアンテナ１５４を含むこともできる。ユーザ・インタフェース１３０は、キーパッド、タッチ・スクリーン、音声インタフェース、４つの矢印キー、ジョイスティック、データグローブ、マウス、ローラーボール等をさらに含むことができる。
【００２３】
プロセッサ１２８が用いるコンピュータ実行可能命令及びデータ、並びに移動体装置１１２内の他のコンポーネントは、コンピュータ可読メモリ１３４内に格納することができる。メモリは、随意的に揮発性メモリ及び不揮発性メモリの両方を含む、読み出し専用メモリ・モジュール又はランダム・アクセス・メモリ・モジュールの任意の組み合わせにより実装することができる。移動体装置１２２が種々の機能を実行することを可能にするために、ソフトウェア１４０をメモリ１３４及び／又は記憶装置内に格納して、プロセッサ１２８に命令を与えることができる。代替的に、移動体装置１１２のコンピュータ実行可能命令の一部又は全てを、ハードウェア又はファームウェア（図示せず）内に組み入れることもできる。
【００２４】
特定のＤＶＢ受信機１４１を通して、例えば、ＤＶＢ−Ｈ又はＤＶＢ−ＭＨＰのようなＤｉｇｉｔａｌ  Ｖｉｄｅｏ  Ｂｒｏａｄｃａｓｔ（ＤＶＢ）規格に基づいたデジタル広帯域ブロードキャスト伝送を受信し、デコードし、処理するように、移動体装置１１２を構成することができる。移動体装置には、デジタル広帯域ブロードキャスト伝送のための他のタイプの受信機を設けることもできる。さらに、ＦＭ／ＡＭラジオ受信機１４２、ＷＬＡＮ送信機１４３、及び遠隔通信送信機１４４を通して、伝送を受信し、デコードし、処理するように、受信機装置１１２を構成することもできる。本発明の１つの態様において、移動体装置１１２は、無線データ・ストリーム（ＲＤＳ）メッセージを受信することができる。
【００２５】
ＤＶＢ規格の一例においては、１つのＤＶＢ１０Ｍｂｉｔ／ｓ伝送は、２００，５０ｋｂｉｔ／ｓの音声プログラム・チャネル、又は５０，２００ｋｂｉｔ／ｓのビデオ（ＴＶ）プログラム・チャネルを有することができる。Ｄｉｇｉｔａｌ  Ｖｉｄｅｏ  Ｂｒｏａｄｃａｓｔ−Ｈａｎｄｈｅｌｄ（ＤＶＢ−Ｈ）規格、或いはＤＶＢ−ＭＨＰ、ＤＶＢ−Ｓａｔｅｌｌｉｔｅ（ＤＶＢ−Ｓ）、ＤＶＢ−Ｔｅｒｒｅｓｔｒｉａｌ（ＤＶＢ−Ｔ）、又はＤＶＢ−Ｃａｂｌｅ（ＤＶＢ‐Ｃ）のような他のＤＶＢ規格に基づいて、伝送を受信し、デコードし、処理するように、移動体装置１１２を構成することができる。同様に、代替的に他のデジタル伝送形式を用いて、ＡＴＳＣ（Ａｄｖａｎｃｅｄ  Ｔｅｌｅｖｉｓｉｏｎ  Ｓｙｓｔｅｍｓ  Ｃｏｍｍｉｔｅｅ）、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＩＳＤＢ−Ｔ）（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＡＢ（Ｄｉｇｉｔａｌ  Ａｕｄｉｏ  Ｂｒｏａｄｃａｓｔｉｎｇ）、ＤＭＢ（Ｄｉｇｉｔａｌ  Ｍｕｌｔｉｍｅｄｉａ  Ｂｒｏａｄｃａｓｔｉｎｇ）、ＦＬＯ（Ｆｏｒｗａｒｄ  Ｌｉｎｋ  Ｏｎｌｙ）、又はＤＩＲＥＣＴＶのような、補足的サービスのコンテンツ及び可用性情報を送信することができる。さらに、デジタル伝送は、ＤＶＢ−Ｈ技術におけるように、タイム・スライス型のものにすることができる。タイム・スライシングは、移動体端末の平均電力消費を低減することができ、滑らかでシームレスなハンドオーバを可能にする。タイム・スライシングは、従来のストリーミング機構を用いてデータが伝送された場合に必要とされるビットレートと比べると、より大きい瞬時ビットレートを用いて一気にデータを送ることからなる。この場合、移動体装置１１２は、提示前にデコードされたタイム・スライス型伝送を格納するための、１つ又はそれ以上のバッファ・メモリを有することができる。
【００２６】
本発明の１つの例では、ＥＳＧフラグメントは、１つ又はそれ以上のデータ・ストリーム又はチャンネルで、加入者端末に送給されることができる。この例では、ＥＳＧ情報を加入者端末に送給するのに、（ＩＰパケット・ストリームといった）複数のチャンネルを用いることができる。例えば、ＥＳＧフラグメントは、サービス・プロバイダによって提供される来たるイベントの通知、サービス・プロバイダによって提供される現在のイベントにおける変更、又はユーザ又はユーザのグループに対する更新された又は進行中の情報の通知を、加入者端末に提供することができる。
【００２７】
ＥＳＧフラグメントは、コンテナでＥＳＧ情報をトランスポートすることができる、トランスポート・オブジェクトにおいて送給されることができる。従って、ＥＳＧフラグメントは、それ自体のトランスポート・オブジェクトにおいて送給されることができるコンテナに配置することができる。コンテナは、コンテナ・ヘッダとコンテナ・ペイロードをさらに含むことができ、例えば、コンテナ・ヘッダは、各コンテナがトランスポート・オブジェクト内部のどこに位置するかについての情報を提供することができる。１つの例では、トランスポート・オブジェクトは、単一のコンテナ、又は各コンテナが１つのＥＳＧフラグメントを含む複数のコンテナを含むことができる。図３は、本発明の少なくとも１つの態様による例示的なトランスポート・オブジェクトの図である。図３の例に説明されるように、トランスポート・オブジェクト３００は、コンテナ・ヘッダ３１０及びコンテナ・ペイロード３２０を含むことができるコンテナを含むことができる。１つの例では、コンテナ・ヘッダ３１０及びコンテナ・ペイロード３２０は、単一トランスポート・オブジェクト３００に組み込むことができる単一コンテナ３０５に組み込むことができ、コンテナ・ヘッダ３１０を、異なるトランスポートされたオブジェクト内でどこに各コンテナを配置するかに関する情報と再び結びつける必要がなくなる。代替的には、トランスポート・オブジェクト３００は、複数のコンテナを含むことができ、コンテナは、ＥＳＧフラグメント３４０を幾つでも含むことができる。コンテナ・ヘッダ３１０は、例えばコンテナ・ヘッダ３１０自体、及び／又はコンテナ・ペイロード３２０に関する情報といった、対応するＥＳＧフラグメントに関連する情報を含むことができる。
【００２８】
図３に示される例では、ＥＳＧフラグメント３４０は、コンテナ・ペイロード３２０に含まれる。コンテナ・ヘッダ３１０は、対応するコンテナ・ペイロード３２０内のＥＳＧフラグメントを識別し説明するための記述子を含むことができる。従って、これらに限定されるものではないが、トランスポート・オブジェクト３００におけるＥＳＧフラグメントの位置、又はフラグメント３４０に含まれる各々の長さといった、ＥＳＧフラグメントの特徴を識別することができる。例えば、１つの実施形態では、例えばオフセット値、開始点及び終了点、又は同類のものを提供することにより、フィールドは、特定のＥＳＧがコンテナ・ペイロード３２０内のどこで始まるかを指定する。他の実施形態においては、メタデータ３５０を、ヘッダ３１０内に位置する又はヘッダ３１０に近接する個々のＥＳＧフラグメント３４０、記述子エントリ、ＥＳＧフラグメント３４０、又はそれらの混合物と関連付けることができる。１つの例示的な実施形態では、ＥＳＧフラグメント３４０との３ＧＰＰメタデータ・エンベロープの関連は、その特定のＥＳＧフラグメントに関連してヘッダ３１０に配置されるべき付加的なメタデータと置き換えてもよく、又はその必要性をなくしてもよい。
【００２９】
図４は、複数の単一Ｔｒａｎｓｐｏｒｔ  Ｏｂｊｅｃｔ（トランスポート・オブジェクト）の伝送の例を示す。図４に示されるように、現在の発明のトランスポート・オブジェクト（ＴＯ）は、例えばＦＬＵＴＥ（Ｆｉｌｅ  Ｄｅｌｉｖｅｒｙ  ｏｖｅｒ  Ｕｎｉｄｉｒｅｃｔｉｏｎａｌ  Ｔｒａｎｐｏｒｔ）セッション、又は純粋なＡｓｙｎｃｈｒｏｎｏｕｓ  Ｌａｙｅｒｅｄ  Ｃｏｄｉｎｇ（ＡＬＣ）で運ばれることができる。図４の例では、ＩＰアドレス、ポート番号、及びＴｒａｎｓｐｏｒｔ  Ｓｅｓｓｉｏｎ  Ｉｄｅｎｔｉｆｉｅｒ（ＴＳＩ）といったＥＳＧ  Ｒｏｏｔ  Ｃｈａｎｎｅｌ  Ｄａｔａは、ＩＰ／ＭＡＣ  Ｎｏｔｉｆｉｃａｔｉｏｎ  Ｔａｂｌｅ（ＩＮＴ  Ｔａｂｌｅ）に宣言され、それは、例えばＤＶＢ−ＨのＳＩ表の１つとして、ＤＶＢ−ＨにおけるＳＩ／ＰＳＩストリームにおいて運ばれる。ＥＳＧ  Ｒｏｏｔ  ＣｈａｎｎｅｌのＦＬＵＴＥセッションは、セッションのＦｉｌｅ  Ｄｅｌｉｖｅｒｙ  Ｔａｂｌｅ（ＦＤＴ）及び１つ又はそれ以上のトランスポート・オブジェクト（ＴＯ）を含む。告知カルーセルにおいて送給されることができるこれらトランスポート・オブジェクトは、ＥＳＧの異なる部分間のマッピングと、ＥＳＧデータが伝送される、異なるＥＳＧ方法へのアクセス・パラメータとを含む。ＥＳＧは、互いに異なることができる。例えば、ＥＳＧは、異なる言語、ジャンル、又はエンコーディングであることができる。
【００３０】
アクセス・パラメータの例は、例えば、ＩＰアドレス、ポート番号、ＴＳＩ、開始時間及び終了時間等を含むことができる。ＦＬＵＴＥセッションは従って、ＥＳＧデータが、異なるセッションにどのように分散されるかを宣言する。このマッピング・データを運ぶＦＬＵＴＥセッションのＴＯは、ＦＬＵＴＥセッションのＦＤＴに記述される。ＥＳＧマッピング・データは、１つ又は多数のＴＯ内で運ばれることができる。マッピングは、列挙型でバイナリとして、又は当業者に知られる種々の他の手段を通じて、ＸＭＬスキーマ、プレーンＡＳＣＩＩテキスト、マルチパートＭＩＭＥ又はＭＩＭＥヘッダといった構造化ＡＳＣＩＩテキストを用いて生成されることができる。この例でのＥＳＧデータは、１つ又はそれ以上のＴＯにおいて送給されることができ、それは例えば純粋なＡＬＣセッション内にあるとすることができる。ＥＳＧデータ又はその一部は、ＡＬＣセッションに加えて、又はその代わりに、本発明の幾つかの実施形態において、１つ又はそれ以上のＦＬＵＴＥセッションにおいて送給されることができる。
【００３１】
本発明の１つの例では、サービス・プロバイダからユーザ又は加入者に通知情報又はメッセージを送給するために、サービス・ガイド又はＥＳＧフラグメントに、通知機能が提供される。そのような通知情報は、例えば、サービス・スケジュールの変更の通知、新しいサービスの開始の通知、特定プログラムの促進又は広告、サービス又は来たるプログラム或いはサービス、緊急告知、公共サービス公告、又はサービス・ガイドの変更或いは情報の他の変更の通知を含む、来たるイベントに関する通知情報を含むことができる。
【００３２】
１つの例では、通知情報又はメッセージは、Ｕｓｅｒ  Ｄａｔａｇｒａｍ  Ｐｒｏｔｏｃｏｌ／Ｉｎｔｅｒｎｅｔ  Ｐｒｏｔｏｃｏｌ（ＵＤＰ／ＩＰ）を経由して、ユーザ又は加入者に送給されることができる。指定されたＵＤＰポートは、通知情報又はメッセージを作成するのに用いられて、通知情報又はメッセージは、進行中のセッションの中に、又は別のセッションを通じて、組み込まれることができるようになっている。例えば、通知情報又はメッセージは、既定のＵＤＰポートを用いて、ＵＤＰパケットにカプセル化されることができる。ＮｏｔｉｆｉｃａｔｉｏｎＰｏｒｔは、ＵＤＰポートの１つの例である（以下の詳細な説明を参照されたい）。ＵＤＰパケットは、通知情報又はメッセージを受信するように、加入者端末の進行中のブロードキャスト・セッションのＩＰアドレスと共に、ＩＰパケットにカプセル化されることができる。１つの例では、通知情報又はメッセージは、ＸＭＬにエンコードされることができ、ＵＤＰパケットにおいて、加入者端末に送給されることができる。加入者端末は、既定のＵＤＰポート、カプセル化された情報又はメッセージを備えたＵＤＰパケットを受信することができ、また、通知情報又はメッセージのためのコンテナとして、ＵＤＰパケットを処理することもできる。代替的には、ＵＤＰパケットは、既定のＩＰマルチキャスト／ブロードキャストアドレス（例えば、本明細書において以下に詳述されるＮｏｔｉｆｉｃａｔｉｏｎＡｄｄｒｅｓｓ）又はユニキャストＩＰアドレスを備えたＩＰパケットにカプセル化されることができる。従って、通知情報又はメッセージを含むＵＤＰパケットは、指定された加入者端末で受信されることができる。
【００３３】
通知情報又はメッセージは、Ｓｅｒｖｉｃｅ  Ｇｕｉｄｅ  Ｄｅｌｉｖｅｒｙ  Ｄｅｓｃｒｉｐｔｏｒ（ＳＧＤＤ）において宣言されることができる通知チャンネルを経由して、加入者端末に送給されることができる。さらに、通知チャンネルとして各サービスに関連するＵＤＰポートが宣言される。
【００３４】
通知情報又はメッセージは、送給される通知情報のタイプに依存するとすることができる種々の方法により送給されることができる。例えば、情報が加入者端末ディスプレイに表示されるように、通知情報は、ユーザ指向のものとすることができる。この表示は、例えば、テキスト又はマルチメディア表示の形態とすることができる。しかしながら、通知情報の特定のタイプは、ユーザ指向のものではないことがある。例えば、通知情報の特定のタイプは、サービス・ガイド又はサービスを受信するための、加入者端末向けの情報を含むことができる。そのような「端末指向」通知情報は、加入者端末へのサービス・ガイドにおいて提供されることができるが、テキスト又はマルチメディア表示は任意である。
【００３５】
ユーザ又は加入者に対する通知情報又はメッセージの提示又はレンダリングは、所望の提示のタイプによって異なることができる。例えば、通知情報又はメッセージは、対応するプログラム又はサービスの受け取り中に、ユーザ又は加入者によって受信されることができ、後で見るため又は用いるために格納されることができる。代替的には、通知情報は、対応するプログラム又はサービスと共に、オーバーレイとして又は分割画面として見ることができる。この場合、通知情報は、対応するプログラム又はサービスと同時に見ることができる。
【００３６】
また、通知情報又はメッセージの用途に関連する端末指向の通知情報は、加入者端末に提供されることができる。従って、通知情報又はサービスの提示は、通知情報の用途によって異なってよい。通知情報の用途の例は、サービス・ガイドの更新又は変更、プログラム又はサービスの開始の通知、ファイル・ダウンロードの開始の通知等を含む。
【００３７】
１つの態様の１つの例では、通知情報は、Ｓｅｒｖｉｃｅ  Ｇｕｉｄｅ  Ｄｅｌｉｖｅｒｙ  Ｄｅｓｃｒｉｐｔｏｒ（ＳＧＤＤ）のような、ＥＳＧフラグメント内の記述子として与えられることができる。ＳＧＤＤは、関連ＥＳＧフラグメントを検索及び／又は識別するのに用いることができるデータを含む、ＥＳＧフラグメントの使用可能性又は妥当性といったＥＳＧフラグメントの多様な属性についての情報を運ぶことができる。ＥＳＧフラグメントはまた、多様な方法で、Ｓｅｒｖｉｃｅ  Ｇｕｉｄｅ  Ｄｅｌｉｖｅｒｙ  Ｕｎｉｔ（ＳＧＤＵ）によってグループ化されることもでき、グループとして識別されることもできる。例えば、ＥＳＧフラグメントは、ＳＧＤＤのＧｒｏｕｐｉｎｇＣｒｉｔｅｒｉａエレメントといった、エレメント又はパラメータに宣言される特定の基準に基づいてグループ化されることができる。故に、ＳＧＤＤは、ＳＧＤＵのサービス・ガイドにおけるＥＳＧフラグメントをグループ化するための基準を指定するのに用いることができる。
【００３８】
この例では、ＳＧＤＤは、加入者又は加入者のグループに対して、関心のある情報の加入者又は加入者のグループの通知情報を指定することができる。１つの例では、サービス・プロバイダは、プログラムのブロードキャスト時間を変更することを望むことができる。加入者が、特定の時間又は日に、特定のブロードキャストを受信していた場合には、加入者は、プログラムのブロードキャストの時間又は日における変更案に気付かない可能性がある。従って、スケジュールの変更を適切に及び時宜に通知されていなかった加入者は、プログラムを見逃す可能性がある。
【００３９】
別の例では、加入者は、迅速な通知が必要である時宜の情報を受け取ることを望む可能性がある。現在又は最近行われたスポーツ・イベントのスコアが、そのような情報の１つの例である。ユーザ又は加入者は、関心のあるスポーツ・イベントの現在のスコアの通知を受信することを望む可能性がある。この例におけるサービス・プロバイダは、そういった通知情報を含むＳＧＤＤを提供して、ユーザ又は加入者が、望む情報に遅れないでいるようにすることができる。
【００４０】
加えて、サービス・プロバイダは、ＳＧＤＤにおいて緊急通知を提供することができる。例えば、天候の変化、予測される来たる危険、警告等は、ＥＳＧフラグメントのＳＧＤＤにおいて供給されることができる。この方法で、ユーザは、ユーザにとって関心があるとすることができるあらゆる関連する状態について知らされることができる。
【００４１】
通知情報又はメッセージを含むＳＧＤＤの例では、ＳｅｒｖｉｃｅＧｕｉｄｅＤｅｌｉｖｅｒｙＤｅｓｃｒｉｐｔｏｒがＥＳＧフラグメントに提供されることができ、例えば、通知情報又はメッセージに受け取り情報を提供するためのサブエレメントを含むことができる通知受け取りを指定することができる。受け取り情報は、例えば、通知情報又はメッセージの送給に用いられるＵＤＰポートを記述する又は指定するためのサブエレメントを含むことができる。一例として、サブエレメントは、対応する通知ポートを指定するための整数値とすることができる。通知ポートのサブエレメントに基づいて、通知情報又はメッセージは、進行中のセッション又は別のセッションを通じて、加入者端末に送給されることができる。
【００４２】
加えて、ＳＧＤＤの通知受け取りサブエレメントは、通知アドレスのサブエレメントを経由して、通知アドレスをさらに指定することができる。この例では、通知アドレスのサブエレメントは文字列とすることができ、通知情報又はメッセージの送給のためにＩＰマルチキャスト・アドレスを指定することができる。
【００４３】
加えて、通知パラメータは、通知情報又はメッセージの属性を与えるためにＥＳＧフラグメントに含まれることができる。例えば、通知パラメータは、通知メッセージの識別子を指定することができる。この識別子は、例えば、対応する通知メッセージを具体的に識別することができるＵＲＩとすることができる。識別子属性に基づいて、加入者端末は、対応する通知情報又はメッセージを受信するように加入者端末として識別されることができる。
【００４４】
また、通知パラメータは、対応する通知情報又はメッセージの通知タイプを示すことができる。ここに説明されるように、通知情報は、ユーザ指向メッセージ（例えばサービス・プロバイダからのメッセージ、緊急告知等）、又は端末指向メッセージ（例えばサービス・ガイド更新、ファイル・ダウンロード、その他）を含む様々なタイプから成ることができる。通知情報のタイプは、通知パラメータ内の通知タイプ属性において指定されることができる。
【００４５】
通知パラメータは、通知情報が有効である時間枠を含む、通知情報の有効性について、情報をさらに提供することができる。この例では、指定された有効な時間枠の後で、通知情報は無効になると指定することができる。
【００４６】
通知パラメータはまた、通知情報をさらに特徴付けるサブエレメントを提供することもできる。そのようなサブエレメントの１つの例は、対応する通知情報の名前又はタイトルに対応する文字列を含むことができる、ネーム・サブエレメントである。ネーム・サブエレメントは、多くの言語でさらに提供することができる。サブエレメントの別の例は、通知情報のコンテンツを記述する文字列を含むことができる、記述サブエレメントである。また、提示形式のサブエレメントは、対応する通知情報の提示のタイプを定めることができる整数値として提供することができる。例えば、提示形式のサブエレメントは、加入者端末が、直ちに通知情報をレンダリングするか、後で表示するように通知情報を格納するか、又は対応するプログラム或いはサービスと共にオーバーレイ又は分割画面として通知情報をレンダリングするか、を示すことができる。
【００４７】
他のサブエレメントは、通知情報に関するあらゆる付加的な関連情報を与えるためのＵＲＩとすることができる拡張ＵＲＬサブエレメントを含むことができる。また、セッション情報サブエレメントは、送給セッション情報、又は送給セッションで送給された対応するオブジェクト或いはフラグメントを定めるために提供することができる。１つの例では、加入者端末はセッション情報サブエレメントを受信することができ、セッション情報サブエレメントに基づいて関連するセッションにアクセスすることができ、対応する動作を実行することができる。セッション情報サブエレメントは、有効性情報（例えば、いつから有効であるか又はいつまで有効であるかのような）、又は示された送給セッションを通じて伝送されるオブジェクトのタイプを定めるための用途のタイプを、さらに含むことができる。これは、例えば、送給セッションが、更新されたサービス・ガイドのフラグメントを伝送するためのものであるかの表示、ファイル送給、又はサービスがスケジュールされたように送給セッションを通して開始するという表示を含むことができる。セッション情報サブエレメントはまた、送給セッションを説明するための送給セッション・パラメータといった他のサブエレメントを含むこともできる。送給セッション・サブエレメントは、送給セッションのソースＩＰアドレス、及び／又は目標送給セッションの識別子をさらに特定することができる。セッション情報サブエレメントは、示された送給セッションを通じて送給されるトランスポート・オブジェクトのＩＤを与えるためのトランスポート・オブジェクトＩＤ、フラグメントＩＤ及び／又はフラグメントのバージョンを含むことができる、示された送給セッションを通じて送給されるフラグメントを識別するためのフラグメント・パラメータ、又は、通知情報の送給のための代替的な方法としてＵＲＩを特定する代替的なＵＲＩを提供するパラメータ又はサブエレメントをさらに含むことができる。
【００４８】
通知パラメータは、マルチメディア通知情報を構築するためのメディア情報パラメータ又はサブエレメントを、さらに提供することができる。例えば、メディア情報サブエレメントは、通知情報のピクチャ、ビデオ、及び／又はオーディオに関する情報を提供することができる。例として、メディア情報パラメータ又はサブエレメントは、ピクチャとＭＩＭＥ形式をどのように取得するかを定めるためのピクチャ・パラメータを含むことができる。例えば、ピクチャ・パラメータは、ピクチャのＭＩＭＥ形式を示す文字列を提供することができるか、又はピクチャを参照するＵＲＩを示すＵＲＩを提供することができる。また、メディア情報パラメータ又はサブエレメントは、ビデオ及びＭＩＭＥ形式をどのように取得するかを示すビデオ・サブエレメントを含むことができる。ビデオ・サブエレメントは、ビデオのＭＩＭＥ形式、及び／又はビデオを参照するＵＲＩを示すための文字列を含むことができる。また、メディア情報パラメータ又はサブエレメントは、オーディオ及びＭＩＭＥ形式をどのように取得するかを定めるためのオーディオ・サブエレメントを含むこともできる。これは、オーディオのＭＩＭＥ形式、及び／又はオーディオを参照するＵＲＩを説明するための属性を含むことができる。
【００４９】
本発明の別の例では、複数のプログラム又はサービスが、サービス・プロバイダによって提供される。しかしながら、あるプログラム又はサービスが関連プログラム又はサービスに関する通知情報を含む一方で、他のプログラム又はサービスは通知情報を含まない。この例では、多段階の通知情報が提供される。この例の通知の１つの段階では、グローバル通知チャンネルが提供される。グローバル通知チャンネルはＳＧＤＤに宣言される全加入者とユーザを対象とする。緊急ブロードキャストは、通知情報が、ブロードキャストを受信することができる全加入者に送給されることが望ましい通知情報の例である。そのような通知情報の送給は、上に説明されたように提供される。
【００５０】
この例における通知情報送給の第２段階では、通知それ自体は、サービスとすることができる。幾つかの例は、ニュース速報、スポーツのスコア、天気の最新情報、株式相場等のブロードキャストを含む。従って、加入者に送給されるべき、そういった急速に変化し、かつ予測不可能な情報を含む通知情報は、ＥＳＧフラグメント又はサービス・ガイドにおいて示されることができる。通知情報送給のこの第２段階では、付加的な情報又はパラメータは、ＥＳＧフラグメント、又はサービス・フラグメントの属性を記述するためのサービス・フラグメント・パラメータを含むサービス・ガイドにおいて送給されることができる。サービス・フラグメント・パラメータは、ＥＳＧフラグメントに対応するサービスのタイプをさらに特徴付けるための通知サービス・パラメータを含むことができる。サービス・フラグメント・パラメータは、提供されるサービスのタイプを記述する整数値とすることができるタイプ属性を含むことができる。値は、タイプ属性に割り当てられて、タイプ属性に基づいて通知サービスを提供する有効なサービス・フラグメントがインスタンス化されることができるようにする。１つの例では、通知サービスを提供するためのタイプ属性の値は、１０である。さらに、通知サービスの本質を説明するのに、付加的なフィールドを用いることができる。表Ｉは、通知サービスを提供するためのタイプ属性を含むサービス・フラグメント・パラメータの例を提供する。
【００５１】
表Ｉ
2009512263.tif 000002
【００５２】
表Ｉ（続き）
2009512263.tif 000003
【００５３】
表Ｉ（続き）
2009512263.tif 000004
【００５４】
表Ｉ（続き）
2009512263.tif 000005
【００５５】
タイプを、エレメント（Ｅ）、属性（Ａ）、第１段階サブエレメント（Ｅ１）、第２段階サブエレメント（Ｅ２）、又は第３段階サブエレメント（Ｅ３）とすることができる場合、カテゴリは、任意（Ｏ）、又は優先／必須（Ｍ）とすることができる。
【００５６】
この例の通知情報送給の第３段階では、通知は、プログラム又はサービスのコンポーネントである。この例では、通知コンポーネントは、アクセス・タイプとして与えられる。説明のため、プログラム又はサービスは、異なるアクセス・タイプを含むことができる。例えば、ビデオ・プログラムは、オーディオ・ストリーム・アクセス（ブロードキャスト上で音声を運ぶため）、ビデオ・ストリーム・アクセス（ブロードキャスト上で画像を運ぶため）、又は補助データ・アクセス（ブロードキャスト上で、字幕といった他の情報を運ぶため）を含むことができる。本発明のこの例では、ＥＳＧフラグメント又はサービス・ガイドは、通知コンポーネントに対応するアクセス・フラグメント定義を与えることができる。例えば、アクセス・フラグメントは、アクセス・フラグメント・パラメータを経由して定めることができる。アクセス・フラグメント・パラメータは、アクセス・フラグメントのタイプを定めるためのアクセス・タイプ属性を含むことができる。アクセス・タイプ属性は、例えば整数とすることができる。アクセス・タイプ属性の値に基づいて、アクセス・フラグメントは、通知コンポーネントを定めることができる。一例として、アクセス・タイプ属性は、アクセス・タイプ属性が規定値に設定されているかどうかの通知コンポーネントであることを示すことができる。１つの例では、アクセス・タイプは、アクセス・タイプ属性が１１に設定されているかどうかの通知コンポーネントであることを示す。表ＩＩは、通知サービスを与えるためのアクセス・タイプ属性を含む例示的なアクセス・フラグメント・パラメータを提供する。
【００５７】
表ＩＩ
2009512263.tif 000006
【００５８】
表ＩＩ（続き）
2009512263.tif 000007
【００５９】
表ＩＩ（続き）
2009512263.tif 000008
【００６０】
表ＩＩ（続き）
2009512263.tif 000009
【００６１】
表ＩＩ（続き）
2009512263.tif 000010
【００６２】
タイプを、エレメント（Ｅ）、属性（Ａ）、第１段階サブエレメント（Ｅ１）、第２段階サブエレメント（Ｅ２）、又は第３段階サブエレメント（Ｅ３）とすることができる場合、カテゴリは、任意（Ｏ）、又は優先／必須（Ｍ）とすることができる。
【００６３】
図５は、本発明の１つの態様に基づく、受信機の１つの例を示す部分ブロック図である。この例では、受信機５００は入力部５０１を含む。入力部５０１は、ＥＳＧフラグメントとして伝送される、又はＥＳＧフラグメント・トランスポート機構を用いて伝送される情報を受信するように構成することができる。受信機５００は、通知と関連するＥＳＧフラグメントにおけるパラメータを識別するための解析機５０２をさらに含むことができる。例えば、解析機は、通知チャンネルにおいて対応する通知を宣言するために、第１のパラメータを識別することができる。第１のパラメータは、例えば、通知受け取りパラメータといったＳｅｒｖｉｃｅ  Ｇｕｉｄｅ  Ｄｅｌｉｖｅｒｙ  Ｄｅｓｃｒｉｐｔｏｒ（ＳＧＤＤ）で宣言されるパラメータとすることができる。１つの例では、ＥＳＧフラグメントは、通知情報又はメッセージのための情報を提供する、通知受け取りパラメータを含む。通知受け取りパラメータは、ＥＳＧフラグメントのサービス・ガイド送給記述子に含まれることができる。また、通知受け取りパラメータは、通知情報又はメッセージ及び対応するサービスに関連するポート番号を示すこともできる。入力部５０１は、第１のパラメータを含むＥＳＧフラグメントを受信し、解析機５０２は、第１のパラメータを識別するＥＳＧフラグメントを解析する。
【００６４】
また、ＥＳＧフラグメントは、サービスとして通知を識別するための第２のパラメータをさらに含むことができる。例えば、ＥＳＧフラグメントは、それ自体が通知であるサービスに対応することができる。例は、ニュース速報、株式相場、又はスポーツのスコア等をブロードキャストするサービスを含む。この例における第２のパラメータは、サービス・フラグメントのタイプを定めるためのサービス・フラグメント・パラメータとすることができる。この例では、サービス・フラグメントのタイプ・フラグメントは、サービスのタイプは通知サービス（例えばニュース速報をブロードキャストすること）であることを示すことができる。サービス・フラグメントは、通知サービスの本質をさらに特徴付ける、付加的なフィールドをさらに含むことができる。
【００６５】
従ってこの例では、ＥＳＧフラグメントは、サービスが通知サービスであることを示すタイプ・パラメータを含むことができるサービス・フラグメントを含むことができる。入力部５０１はＥＳＧフラグメントを受信し、解析機５０２は第２のパラメータを解析して識別する。この方法で、受信機５００は、サービスを、第２のパラメータ又はサービス・フラグメント・タイプ・パラメータにより通知サービスとして識別することができる。加えて、サービス・フラグメントは、アクセス・フラグメントとリンクして、通知サービスの伝送モードの付加的な説明を与えることができる。これは、以下にさらに詳細に説明される。
【００６６】
別の例では、ＥＳＧフラグメントは、サービスのコンポーネントを通知として識別するための第３のパラメータをアクセス・フラグメント内に含むことができる。この例は、イベントのコンポーネントが受信者に与えられる進行中のスポーツ大会とすることができる。例えば、進行中のスポーツ大会又はブロードキャストは、オーディオ・ストリーム（即ちオーディオ・ストリーム・アクセス）、ビデオ・ストリーム（即ちビデオ・ストリーム・アクセス）、及び補助データを含むことができる。この例では、ブロードキャストは、通知を運ぶための付加的なアクセスを含むことができる。付加的なアクセス（又はコンポーネント）は、新しいアクセス／コンポーネントであってもよいし、又は、補助データのアクセス／コンポーネントであってもよい。この例では、ＥＳＧフラグメントは、アクセスが通知を運ぶものとして記述するアクセス・タイプ・パラメータを含むアクセス・フラグメントとすることができる。例えば、第３のパラメータ（この例ではアクセス・タイプ・パラメータ）は、通知コンポーネントに対応する値に設定して、通知コンポーネントとして、サービスのコンポーネントを識別することができる。従ってこの例では、通知コンポーネントとしてアクセス・フラグメントを示す値のアクセス・フラグメント・タイプ・パラメータを含むＥＳＧフラグメントは、受信機５００の入力部５０１で受信されることができる。解析機５０２は、ＥＳＧフラグメントを解析することができ、アクセス・フラグメント・タイプ・パラメータは、アクセス・フラグメント・タイプ・パラメータを識別し、アクセス・フラグメント・タイプ・パラメータの値に基づいて、対応するサービスのコンポーネントを通知コンポーンネントとして識別することができる。
【００６７】
受信機５００は、通知を識別するために、ＥＳＧフラグメント内から対応するパラメータを識別する解析機５０２を制御及び命令するためのプロセッサ５０３をさらに含むことができる。通知に対応するデータは、出力部５０４で出力されることができる。例えば、データはユーザ又は加入者に対して表示されることができる。
【００６８】
図６は、本発明の１つの態様による送信機の例を示す部分ブロック図である。この例では、送信機６００は、伝送のためにＥＳＧフラグメントに含まれるべきデータを受信する入力部６０１を含む。このデータは、例えば、サービス・プロバイダ又はブロードキャスト会社といった種々のソースから受信することができる。送信機６００は、プログラム又はサービスに対応するＥＳＧフラグメントをアセンブルする、又は処理するためのプロセッサ６０４をさらに含むことができる。図６は、識別子モジュール６０２及びアセンブラ６０３を含むプロセッサ６０４を示す。しかしながら、これらのコンポーネントのいずれも、所望であればプロセッサ６０４から分離されてもよい。
【００６９】
識別子モジュール６０２は、ＥＳＧフラグメントと関連する通知を判断することができる。例えば、識別子モジュール６０２は、ＥＳＧフラグメントを、受信者又は加入者のステーションに伝送されることができる通知と関連させて識別することができる。ＥＳＧフラグメントと関連するサービスは、それ自体が通知であってもよいし、又は、通知は、サービスのコンポーネント又はアクセスであってもよい。送信機は、受信機又は加入者装置への伝送のためのＥＳＧフラグメントをアセンブルするアセンブラ６０３をさらに含むことができる。この例では、ＥＳＧフラグメントはサービスと関連されることができ、通知を含むことができる。識別子モジュール６０２による通知の識別に基づいて、アセンブラ６０３は、ＥＳＧフラグメントに、対応するパラメータを含むことができる。例えば、識別子モジュール６０２が、ＥＳＧフラグメントと関連付けられたサービスを通知サービスと識別した場合には、アセンブラ６０３はサービス・フラグメントにパラメータを含んで、サービスは通知サービスであると示すことができる。通知サービスの例は、最新のニュース速報又はスポーツのスコアのブロードキャストである。このタイプの情報の、予測不可能である性質と頻繁な更新のために、サービス自体は、通知サービスである。この例では、サービス・フラグメントのタイプ・パラメータとして示される。アセンブラ６０３は従って、サービスが通知サービスであると示すためのサービス・フラグメント・タイプ・パラメータを含む。
【００７０】
この例でもまた、識別子モジュールが、通知をサービスのコンポーネントとして識別した場合には、アセンブラ６０３は、通知がサービスのコンポーネント又はアクセスであることを示すタイプ・パラメータ（例えばアクセス・フラグメント・タイプ・パラメータ）を含むＥＳＧフラグメントに、アクセス・フラグメントを含むことができる。従って、この例では、識別子モジュール６０４は、通知をサービスのコンポーネントとして識別する。識別子６０２に基づいて、アセンブラは、サービスのコンポーネントは通知であることを示すアクセス・タイプ・パラメータを含むアクセス・フラグメントを生成する。ＥＳＧフラグメントは、出力部６０５を経由して、受信機又は加入者ステーションに伝送される。
【００７１】
図７は、通知に対応する、ＥＳＧフラグメント伝送の例である。この例では、通知が判断される（ステップ７０１）。例えば、通知機能は、ブロードキャスト・プログラム又はサービスに関する来たるイベントの受信機又は受信機のグループに対する情報に対して、要望通りに識別される。従って、通知情報又は通知メッセージが生成され、受信機又は受信機のグループに、ＥＳＧフラグメントを経由して伝送される。ステップ７０２では、プログラム又はサービスに対応するＥＳＧフラグメントが生成される。生成されたＥＳＧフラグメントは、通知に関係する情報をさらに含むことができる。例えば、ステップ７０３では、パラメータ（図７に通知受け取りパラメータとして示す）は、通知情報又はメッセージの受け取りを示すＥＳＧフラグメントに含まれることができる。一例として、通知受け取りパラメータは、ＵＤＰポート番号を示すことができ、それを通して、通知メッセージは受信機で受信されることになる。
【００７２】
ステップ７０４では、パラメータ（図７に通知サービス・パラメータとして示される）は、サービスが通知であると示すために、ＥＳＧフラグメントに含まれることができる。そのようなサービスの例としては、ニュース速報又は頻繁な更新の傾向がある何らかの情報のブロードキャストがある。通知サービス・パラメータは、例えばタイプ・パラメータとしてサービス・フラグメントに含まれることができ、その値は、サービスが通知であると示すことができる。ステップ７０５では、パラメータ（図７に通知コンポーネント・パラメータとして示される）は、通知がサービスのコンポーネントであると示すために、ＥＳＧフラグメントに含まれることができる。そのようなサービスの一例として、通知は、ＥＳＧフラグメントに記述されるプログラム又はサービスに関連する又は対応する、複数のサービスのうち１つとすることができる。ＥＳＧフラグメントは、受信機に伝送されることができ(ステップ７０６)、伝送されたＥＳＧフラグメントは、サービスに関連する通知を記述するパラメータを含む。
【００７３】
図８は、通知サービス又はサービスの通知コンポーネントに関連するＥＳＧフラグメント受信の例を説明するフローチャートである。この例では、ＥＳＧフラグメントは受信機で受信されることができる（ステップ８０１）。ＥＳＧフラグメントは、例えば、関連する通知を説明するパラメータを含むことができる。ＥＳＧフラグメントは、そこに含まれるパラメータを識別するために、受信機で解析されることができる（ステップ８０２）。１つの例では、（図８に通知受け取りパラメータとして示される）パラメータは、ＥＳＧフラグメントで識別されることができる（ステップ８０３）。この通知受け取りパラメータは、例えば、通知情報又はメッセージの受け取り情報を説明することができる。例えば、通知受け取りパラメータは、通知情報の受け取りのためのＵＤＰポート番号を示す値を含むことができる。
【００７４】
ステップ８０４では、パラメータ（図８に通知サービス・パラメータとして示す）は、ＥＳＧフラグメントで識別することができる。例えば、通知サービス・パラメータは、サービス・フラグメント・パラメータ内のタイプ・パラメータとすることができる。この例では、タイプサービス・フラグメント・タイプ・パラメータは、通知としてサービスを示すことができる。例えば、通知は、最新のニュース速報のブロードキャストといったサービス自体とすることができる。
【００７５】
ステップ８０５では、パラメータ（図８に通知コンポーネント・パラメータとして示す）は、ＥＳＧフラグメントで識別することができる。この例では、アクセス・フラグメントは、サービスのコンポーネントを通知として示すタイプ・パラメータ（例えばアクセス・フラグメント・タイプ・パラメータ）を含むことができる。一例として、スポーツ・イベントといったブロードキャスト・プログラム・イベントは、アクセス又は、オーディオ、ビデオ、補助データといったコンポーネントを含むことができる。加えて、ブロードキャスト・プログラム・イベントはまた、例えば、プログラミングにおける変更、宣伝、緊急告知等の通知を含むこともできる。このプログラム又は通知コンポーネントに対応するサービスのコンポーネントは、アクセス・フラグメント・タイプ・パラメータに示すことができる（ステップ８０５）。ステップ８０６では、このように識別された通知は、受信機でさらに処理されることができる。例えば、通知は、ユーザ又は加入者に対して受信機において表示されることができる。
【００７６】
本発明の実施形態は、ここに開示された新規な特徴又は特徴の組み合わせを、明示的に又は何らかの一般化した形で含むことができる。現在のところ好ましい本発明を実施する形態を含む特定の例に関して説明されたが、当業者であれば、上述のシステム及び技術の種々の変形及び置換があることを理解するであろう。したがって、本発明の精神及び範囲は、添付の特許請求の範囲に述べられたように広く解釈されるべきである。
【図面の簡単な説明】
【００７７】
【図１】本発明の種々の態様が実施することができる無線通信システムのブロック図を示す。
【図２】本発明の１つ又はそれ以上の例示的な実施形態を実施することができる好適なデジタル・ブロードキャスト受信機を示す。
【図３】本発明の１つ又はそれ以上の例示的な実施形態を実施することができるトランスポート・オブジェクトの例の概略図を示す。
【図４】本発明の１つ又はそれ以上の例示的な実施形態を実施することができる単一のトランスポート・オブジェクトをトランスポートする例を示す。
【図５】本発明の１つ又はそれ以上の例示的な実施形態を実施することができる受信機の例を示す。
【図６】本発明の１つ又はそれ以上の例示的な実施形態を実施することができる送信機の例を示す。
【図７】本発明の１つ又はそれ以上の例示的な実施形態を実施することができる通知サービス又はサービスの通知コンポーネントに対応するＥＳＧフラグメント伝送の例のフローチャートを示す。
【図８】本発明の１つ又はそれ以上の例示的な実施形態を実施することができる通知サービス又はサービスの通知コンポーネントに対応するＥＳＧフラグメント受信の例のローチャートを示す。
【図１】
2009512263.tif 000011
【図２】
2009512263.tif 000012
【図３】
2009512263.tif 000013
【図４】
2009512263.tif 000014
【図５】
2009512263.tif 000015
【図６】
2009512263.tif 000016
【図７】
2009512263.tif 000017
【図８】
2009512263.tif 000018
【国際調査報告】
2009512263.tif 000019
2009512263.tif 000020
2009512263.tif 000021
2009512263.tif 000022